(57)【要約】【課題】超音波振動子２で送受信されて記憶装置５に記憶された１回の送受信信号を記憶装置５から２回読み出して表示装置７で表示するようにしているため、第１の信号Ｓ１と第２の信号Ｓ２の間に傾斜がある場合は、傾斜による第１の信号Ｓ１と第２の信号Ｓ２の間の段違いが大きく、画像が非常に見にくい。【解決手段】超音波振動子９の出力はＡ／Ｄ変換部１１で変換され、Ａ／Ｄ変換部１１の出力はゲート部１２に入力され、ゲート部１２の出力は第１の記憶部１３と第２の記憶部１４にそれぞれ切り替えて入力され、第１の記憶部１３の出力は補完部１５と画像信号変換部１６に入力され、第２の記憶部１４の出力は補完部１５と画像信号変換部１６に入力され、補完部１５の出力は画像信号変換部１６に入力され、画像信号変換部１６の出力は表示部１７に入力されている。【選択図】        図１
2004170169.tif 000002
【特許請求の範囲】
【請求項１】
超音波振動子と、該超音波振動子に発振出力を印加する発振器と、前記超音波振動子で受信した反射波を増幅する受信器と、該受信器の出力をデジタルに変換するＡ／Ｄ変換部と、該Ａ／Ｄ変換部の出力を記憶する第１の記憶部と、前記Ａ／Ｄ変換部から次の受信デジタル信号を記憶する第２の記憶部と、該第１、第２の記憶部から読み出された信号の相関を取って補完する補完部と、前記第１の記憶部の出力信号、前記第２の記憶部の出力信号及び前記補完部からの出力信号を画像信号に変換する画像変換部と、前記画像変換部の出力を表示する表示部とからなり、前記第１の記憶部からの出力信号、補完部からの出力信号、第２の記憶部からの出力信号を順次出力して表示することを特徴とする魚群探知機。
【請求項２】
前記補完部は前記第１の記憶部からの出力信号と前記第２の記憶部からの出力信号を加算して１／２の演算することを特徴とする請求項１記載の魚群探知機。
【発明の詳細な説明】
【０００１】
【発明が属する技術分野】
本発明は、粗い表示を滑らかに表示するようにした魚群探知機に関するものである。
【０００２】
【従来の技術】
従来、超音波魚群探知機では、図３に示すように、発振器１からの発振出力によって超音波振動子２から水中に照射した超音波の反射波を超音波振動子２で受信し、この反射波を受信器３で増幅してＡ／Ｄ変換器４でデジタル信号に変換し、このデジタル信号を一旦記憶装置５に記憶し、この記憶装置５に記憶された信号を順次読み出して画像信号変換器６に入力して変換し、この画像信号変換器６の出力を、図４に示すように、水面Ａ１、水底Ａ２及び魚群３のように、表示装置７で表示するようにしている。
【０００３】
【発明が解決しようとする課題】
しかしながら、この超音波魚群探知機では、図５（ａ）で示すように、１回の送受波信号Ａ１、Ａ２、Ａ３、Ａ４をそれぞれ表示画面の１ライン上に表示すると、水底の変化が大きい場合、狭い幅の中で画像の変化を見ることになって見にくいため、図５（ｂ）に示すように、表示装置７で表示する画像を拡大することにより、超音波振動子２で送受信されて記憶装置５に記憶された１回の送受信信号を記憶装置５からそれぞれ２回ずつ読み出して表示装置７で表示するようにしているので、信号Ｂ１、Ｂ２、Ｂ３、Ｂ４のそれぞれの間に傾斜がある場合は、信号Ｂ１、Ｂ２、Ｂ３、Ｂ４のそれぞれの間の傾斜に段違いが大きく、画像が非常に不自然で見にくいという問題があった。
【０００４】
【課題を解決しようとする手段】
本発明は、超音波振動子と、該超音波振動子に発振出力を印加する発振器と、前記超音波振動子で受信した反射波を増幅する受信器と、該受信器の出力をデジタルに変換するＡ／Ｄ変換部と、該Ａ／Ｄ変換部の出力を記憶する第１の記憶部と、前記Ａ／Ｄ変換部から次の受信デジタル信号を記憶する第２の記憶部と、該第１、第２の記憶部から読み出された信号の相関を取って補完する補完部と、前記第１の記憶部の出力信号、前記第２の記憶部の出力信号及び前記補完部からの出力信号を画像信号に変換する画像変換部と、前記画像変換部の出力を表示する表示部とからなり、前記第１の記憶部からの出力信号、補完部からの出力信号、第２の記憶部からの出力信号を順次出力して表示するものであり、又、前記補完部は前記第１の記憶部からの出力信号と前記第２の記憶部からの出力信号を加算して１／２に演算するものである。
【０００５】
【発明の実施の形態】
本発明では、超音波振動子で送受信された超音波信号を受信器で受信し、Ａ／Ｄ変換部で変換されたデジタル信号をそれぞれ第１、第２の記憶部で記憶し、第１の記憶部からの出力信号と第２の記憶部からの出力信号の相関を取って補完部で補完することにより、第１の記憶部、補完部、第２の記憶部の順に出力し、画像信号に変換して表示部に入力するようにしているので、信号の傾斜が大きくても、段違いが滑らかになり、表示が非常に見易くなるという利点がある。
【０００６】
【実施例】
図１は本発明の実施例の魚群探知機のブロック図で、発振部８の出力は超音波振動子９に入力され、超音波振動子９の出力は受信器１０に入力され、受信部１０の出力はＡ／Ｄ変換部１１に入力され、Ａ／Ｄ変換部１１の出力はゲート部１２に入力され、ゲート部１２の出力は第１の記憶部１３及び第２の記憶部１４にそれぞれ切り替えて入力され、第１の記憶部１３の出力は補完部１５に入力されるとともに、画像信号変換部１６に入力され、又、第２の記憶部１４の出力は補完部１５に入力されるとともに、画像信号変換部１６に入力され、さらに、補完部１５の出力は画像信号変換部１６に入力され、この画像信号変換部１６の出力は表示部１７に入力されている。
【０００７】
このように構成された本実施例の魚群探知機では、超音波振動子９に発振部８から発振出力が印加されると、超音波振動子９から水中に超音波が照射され、水中の浮遊物、水底から超音波の反射波が超音波振動子９に入力され、この入力信号は受信部１０で増幅され、Ａ／Ｄ変換部１１でデジタル信号に変換されて第１の記憶部１３に記憶され、又、超音波振動子９からの次の受信信号は第２の記憶部１４に記憶され、第１の記憶部１３に記憶された受信信号は、図２に示すように、よみだされて画像信号変換部１６で画像信号に変換されて表示部１７で信号Ｓ１として表示されるとともに、補完部１５に第１の記憶部１３の受信信号が入力され、又、同時に第２の記憶部１４から次の受信信号が補完部１５に入力され、第１、第２の記憶部１３、１４からの受信信号の相関が取られ、この補完信号は画像信号変換部１６で補完画像信号に変換されて表示部１７で第１の記憶部１３から出力された画像信号Ｓ１の次に補完画像信号Ｈ１として表示され、その次に第２の記憶部１４からの受信信号が画像信号変換部１６で変換されて画像信号Ｓ２として表示され、さらに、次の受信信号が第１の記憶部１３から出力されで画像信号変換部１６で画像信号Ｓ２として表示され、次に補完部１５からの補完画像信号Ｈ２が表示され、その次に第２の記憶部１４からの画像信号Ｓ３を順次表示することを繰り返すことにより、表示された画像は信号の傾斜が大きくても、段違いが滑らかになり、表示が非常に見易くなる。
【０００８】
本発明は、このように、第１の記憶部１３に記憶された受信信号Ｓ１と第２の記憶部１４で記憶された受信信号Ｓ２の相関を補完部１５で取って、第１の記憶部１３から読み出された受信信号Ｓ１の次に補完部１５からの補完信号Ｈ１を表示し、この補完信号Ｈ１の後に第２の記憶部１４から出力された画像信号Ｓ２を読み出して表示することにより、画像信号が急激に変化する場合でも、表示された画像信号は滑らかに変化するように表示される。
【０００９】
なお、上記実施例では、補完回数を１回とし、又、読み出し回数も１回ずつで説明したが、補完回数及び読み出し回数をそれぞれ複数回にしてもよいことは言うまでもない。
【００１０】
【発明の効果】
以上説明したように、本発明の魚群探知機は、第１の記憶部からの信号を表示部で表示した後に、第１の記憶部からの出力信号と第２の記憶部からの出力信号の相関を取って補完した信号を表示し、次に第２の記憶部からの信号を表示部で表示することにより、第１の記憶部及び第２の記憶部に記憶された送受信信号をそれぞれ読み出して表示部で表示し、補完部から第１の記憶部と第２の記憶部からの出力信号の間の信号を入力するようにしているので、信号の傾斜が大きくても、表示された信号の段違いが滑らかになり、表示が非常に見え易くなるという利点がある。
【図面の簡単な説明】
【図１】本発明の実施例の魚群探知機のブロック図である。
【図２】図１の表示魚群探知機の表示部で表示した表示の一部を示した図である。
【図３】従来の魚群探知機のブロック図である。
【図４】従来の魚群探知機の表示装置の表示画面を示した図である。
【図５】図３の表示の欠点を示した図である。
【符号の説明】
８              発振部
９              超音波振動子
１０            受信部
１１            Ａ／Ｄ変換部
１２            ゲート部
１３            第１の記憶部
１４            第２の記憶部
１５              補完部
１６            画像信号変換部
１７            表示部
【図１】
2004170169.tif 000003
【図２】
2004170169.tif 000004
【図３】
2004170169.tif 000005
【図４】
2004170169.tif 000006
【図５】
2004170169.tif 000007